(57)【要約】【課題】  自動選局動作時の有局判定の精度を高める。【解決手段】  放送チャンネルを選局してテレビジョン信号を受信するＴＶチューナ回路１１を有し、前記ＴＶチューナ回路１１が自動選局動作するテレビジョン信号受信装置１において、前記テレビジョン信号から同期信号を検出する同期信号検出回路１３と、前記テレビジョン信号から音声キャリア信号を検出する音声キャリア信号検出回路１２Ｂと、前記テレビジョン信号における音声信号からノイズを検出する音声ノイズ検出回路１４と、前記同期信号および前記音声キャリア信号が検出されており、かつ、前記ノイズが検出されていない場合に有局と判定する有局判定回路１７とを備え、前記有局判定回路１７により有局と判定された場合に、前記ＴＶチューナ回路１１の自動選局動作を停止させる構成とした。【選択図】      図１
2006340264.tif 000002
【特許請求の範囲】
【請求項１】
放送チャンネルを選局してテレビジョン信号を受信するテレビジョンチューナ回路を有し、前記テレビジョンチューナ回路が自動選局動作するテレビジョン信号受信装置において、
前記テレビジョン信号から同期信号を検出する同期信号検出手段と、
前記テレビジョン信号から音声キャリア信号を検出する音声キャリア信号検出手段と、
前記テレビジョン信号における音声信号からノイズを検出するノイズ検出手段と、
前記同期信号および前記音声キャリア信号が検出されており、かつ、前記ノイズが検出されていない場合に、有局と判定する有局判定手段とを備え、
前記有局判定手段により有局と判定された場合に、前記テレビジョンチューナ回路の自動選局動作を停止させる
ことを特徴とするテレビジョン信号受信装置。
【請求項２】
前記ノイズ検出手段は、前記音声信号のノイズレベルが、正常な音声信号のノイズレベルが取り得るレベルの範囲を越えたレベルであるか否かを判断して、前記ノイズを検出することを特徴とする請求項１に記載のテレビジョン信号受信装置。
【発明の詳細な説明】
【技術分野】
【０００１】
本発明は、自動選局動作を行うテレビジョン信号受信装置に係り、特に、自動選局動作の際の有局判定精度を高めるための技術に関する。
【背景技術】
【０００２】
従来、テレビジョン信号を受信するテレビジョンチューナ回路（以下、「ＴＶチューナ回路」という）を備えたテレビジョン信号受信装置において、上記ＴＶチューナ回路が放送チャンネルを順次選局し、有局の放送チャンネルを自動的に選局するように構成されたものが知られている。かかる構成について具体的には、ＴＶチューナ回路で受信されたテレビジョン信号から映像信号を復調し、当該映像信号から同期信号とともに音声信号が検出された場合に、放送チャンネルが有局であると判定し、放送チャネルの自動選局動作を停止することで、自動選局動作時の有局判定精度を高めるようにしたものが知られている（例えば、特許文献１参照）。
【特許文献１】特開平７−３０８２６号公報
【発明の開示】
【発明が解決しようとする課題】
【０００３】
しかしながら、テレビジョン電波の電界強度が弱い又は略ゼロに近い放送チャンネル（以下、「弱小チャンネル」という）に隣接して、テレビジョン電波の電界強度の強い放送チャンネル（以下、「強力隣接チャンネル」という）が存在するような場合には次のような問題がある。すなわち、弱小チャンネルの自動選局時に、強力隣接チャンネルの信号の一部がＴＶチューナ回路に取り込まれてしまい、弱小チャンネルの自動選局時にもかかわらず、当該強力隣接チャンネルの同期信号および音声キャリア信号が検出され、有局判定に誤りが生じ、その選局動作を停止させてしまう、という問題がある。
【０００４】
本発明は、上述した事情に鑑みてなされたものであり、自動選局動作時の有局判定の精度を高めることのできるテレビジョン信号受信装置を提供することを目的とする。
【課題を解決するための手段】
【０００５】
上記目的を達成するために、本発明は、放送チャンネルを選局してテレビジョン信号を受信するテレビジョンチューナ回路を有し、前記テレビジョンチューナ回路が自動選局動作するテレビジョン信号受信装置において、前記テレビジョン信号から同期信号を検出する同期信号検出手段と、前記テレビジョン信号から音声キャリア信号を検出する音声キャリア信号検出手段と、前記テレビジョン信号における音声信号からノイズを検出するノイズ検出手段と、前記同期信号および前記音声キャリア信号が検出されており、かつ、前記ノイズが検出されていない場合に、有局と判定する有局判定手段とを備え、前記有局判定手段により有局と判定された場合に、前記テレビジョンチューナ回路の自動選局動作を停止させることを特徴とする。
【０００６】
また本発明は、上記発明において、前記ノイズ検出手段は、前記音声信号のノイズレベルが、正常な音声信号のノイズレベルが取り得るレベルの範囲を越えたレベルであるか否かを判断して、前記ノイズを検出することを特徴とする。
【発明の効果】
【０００７】
本発明によれば、同期信号および音声キャリア信号が検出されており、かつ、音声信号からノイズが検出されていない場合にだけ、有局と判定する構成としたため、同期信号および音声キャリア信号の有無に基づいて有局を判定する構成に比べて有局判定精度を高めることができる。
【発明を実施するための最良の形態】
【０００８】
以下、図面を参照しつつ本発明の実施の形態について説明する。
図１は、本実施の形態に係るテレビジョン信号受信装置１が備える構成のうち、有局判定のための構成を示すブロック図である。この図に示すように、テレビジョン信号受信装置１は、受信アンテナ１０と、ＴＶチューナ回路１１と、中間周波数復調回路１２と、同期信号検出回路１３と、音声ノイズ検出回路１４と、第１および第２ゲート回路１５、１６と、有局判定回路１７とを備えている。
【０００９】
ＴＶチューナ回路１１は、少なくとも、受信された無線周波（ＲＦ）信号を増幅するＲＦ信号増幅部と、所望の放送チャンネルのＲＦ信号を選局するとともに選局したＲＦ信号を中間周波信号に変換するチューナ部とを有し、当該チューナ部は放送チャンネルの自動選局機能を有するものである。このＴＶチューナ回路１１の入力端には受信アンテナ１０が、その出力端には中間周波数復調回路１２がそれぞれ接続される。
中間周波数復調回路１２は、ＴＶチューナ回路１１から供給される中間周波信号を帯域増幅するものである。また、この中間周波数復調回路１２は検波回路１２Ａを備え、当該検波回路１２Ａが、帯域増幅された中間周波信号を検波し、映像信号Ｓ１と音声信号Ｓ２を再生する。
【００１０】
さらに、中間周波数復調回路１２は、音声キャリア信号検出回路１２Ｂを有している。この音声キャリア信号検出回路１２Ｂは、中間周波信号から得られる音声キャリア信号に対して音声キャリア信号検出用の基準信号とのレベル比較を行うことで、有信号或いは無信号を検出し、有信号が検出された場合に、ＳＤ信号（ステーション・ディテクタ信号）Ｓ３を生成する。
中間周波数復調回路１２の出力端には、同期信号検出回路１３、音声ノイズ検出回路１４および第１ゲート回路１５がそれぞれ接続される。そして、同期信号検出回路１３には映像信号Ｓ１が供給され、音声ノイズ検出回路１４には音声信号Ｓ２が供給され、また、第１ゲート回路１５にはＳＤ信号Ｓ３が供給される。
【００１１】
音声ノイズ検出回路１４は、中間周波数復調回路１２から供給された音声信号Ｓ２に含まれるノイズを検出し、ノイズを検出した場合に、ノイズ検出信号Ｓ４を生成するものである。この音声ノイズ検出回路１４の出力端には第１ゲート回路１５が接続されており、上記ノイズ検出信号Ｓ４が生成された場合には、この第１ゲート回路１５に供給される。音声ノイズ検出回路１４のノイズ検出について詳細には、音声ノイズ検出回路１４は、音声信号Ｓ２に対してノイズ検出用の基準信号とのレベル比較を行うことで、ノイズの有無を検出する。このノイズ検出用の基準信号のレベルは次のようにして設定される。すなわち、妨害や強力隣接チャンネルの影響を受けた場合の音声信号のノイズレベルは、正常な音声信号のノイズレベルが取り得るレベルの範囲を越えた高い値となることから、ノイズ検出用の基準信号のレベルを上記正常なノイズレベルよりも高いレベルに設定することで、音声信号に含まれるノイズの有無が検出可能となる。なお、音声信号に含まれるノイズの検出方法は上記に限定されるものではなく、当該ノイズを検出可能であれば任意の方法および手段を採用することができる。
【００１２】
同期信号検出回路１３は、映像信号Ｓ１が中間周波数復調回路１２から供給されると、当該映像信号Ｓ１に含まれる同期信号（いわゆるコンポジットビデオシンク（Ｃ−ＳＹＮＣ）信号）の検出を行い、同期信号が検出された場合に同期検出信号Ｓ５を生成するものである。この同期信号検出回路１３の出力端には第２ゲート回路１６が接続されており、同期検出信号Ｓ５が生成された場合には、この第２ゲート回路１６に供給される。
【００１３】
第１ゲート回路１５は、２つの入力端と、１つの出力端を有し、それぞれの入力端が中間周波数復調回路１２（音声キャリア信号検出回路１２Ｂ）と音声ノイズ検出回路１４とに接続されると共に、出力端が第２ゲート回路１６に接続された論理演算回路である。この第１ゲート回路１５は、ＳＤ信号Ｓ３が入力端に入力されている場合、ノイズ検出信号Ｓ４が他方の入力端に入力されているか否かに応じて、このＳＤ信号Ｓ３を第２ゲート回路１６に出力し、第２ゲート回路１６へのＳＤ信号Ｓ３の出力を制御する。
【００１４】
より詳細には、第１ゲート回路１５は、ノイズ検出信号Ｓ４が入力されている場合に、当該第１ゲート回路１５の出力端を電気的に閉じ（ハイインピーダンス状態とする）、また、ノイズ検出信号Ｓ４が入力されていない場合には、ＳＤ信号Ｓ３の入力端と出力端とを電気的に導通させて、ＳＤ信号Ｓ３を第２ゲート回路１６に出力する。すなわち、上記音声キャリア信号検出回路１２Ｂにより音声キャリア信号が検出されており、なおかつ、音声信号Ｓ２からノイズが検出されていない場合にのみ、第１ゲート回路１５から第２ゲート回路１６にＳＤ信号Ｓ３が出力されることとなる。
【００１５】
第２ゲート回路１６は、２つの入力端と、１つの出力端を有し、それぞれの入力端が同期信号検出回路１３と第１ゲート回路１５に接続されると共に、出力端が有局判定回路１７に接続された論理演算回路である。この第２ゲート回路１６は、同期検出信号Ｓ５が入力端に入力されている場合、ＳＤ信号Ｓ３が他方の入力端に入力されているか否かに応じて、この同期検出信号Ｓ５を有局判定回路１７に出力し、有局判定回路１７への同期検出信号Ｓ５の出力を制御する。
【００１６】
具体的には、第２ゲート回路１６は、ＳＤ信号Ｓ３が入力されていない場合、当該第２ゲート回路１６の出力端を電気的に閉じ（ハイインピーダンス状態とする）、また、ＳＤ信号Ｓ３が入力されている場合には、同期検出信号Ｓ５の入力端と出力端とを電気的に導通させて、同期検出信号Ｓ５を有局判定回路１７に出力する。したがって、ＳＤ信号Ｓ３および同期検出信号Ｓ５が入力されている場合、すなわち、音声キャリア信号および同期信号が検出されており、なおかつ、音声信号Ｓ２からノイズが検出されていない場合にのみ、第２ゲート回路１６から有局判定回路１７に同期検出信号Ｓ５が出力されることとなる。
【００１７】
有局判定回路１７は、同期検出信号Ｓ５の入力の有無に基づいて有局判定を行い、有局と判定した場合には、ＴＶチューナ回路１１に対して自動選局動作停止信号Ｓ６を出力し、当該ＴＶチューナ回路１１の自動選局動作を停止させるものであり、例えばマイクロコンピュータなどを備えて構成されている。
【００１８】
ここで、同期検出信号Ｓ５が有局判定回路１７に入力される場合とは、上述したように、中間周波数復調回路１２（音声キャリア信号検出回路１２Ｂ）にて音声キャリア信号が検出されていると共に、同期信号検出回路１３にて同期信号が検出されており、なおかつ、音声信号Ｓ２からノイズが検出されていない場合である。換言すれば、音声信号Ｓ２からノイズが検出された場合には、同期検出信号Ｓ５が有局判定回路１７に入力されることはなく、結果として、ＴＶチューナ回路１１の自動選局動作は停止することなく継続される。
【００１９】
したがって、強力隣接チャンネルに隣接する弱小チャンネルをＴＶチューナ回路１１が選局したときに、強力隣接チャンネルの信号の一部がＴＶチューナ回路１１に取り込まれてしまい、同期信号および音声キャリア信号が検出された場合であっても、音声信号Ｓ２からノイズが検出されて、有局判定回路１７への同期検出信号Ｓ５の出力が禁止されるため、有局判定回路１７が有局であると誤判定することが無く、ＴＶチューナ回路１１の自動選局動作が停止されることも無い。
【００２０】
このように、本実施の形態によれば、音声信号Ｓ２からノイズを検出する音声ノイズ検出回路１４を設け、放送チャンネル選局の際に、受信された信号から同期信号および音声キャリア信号が検出されており、なおかつ、音声信号Ｓ２にノイズが検出されていない場合にのみ、有局判定回路１７が有局と判定し、ＴＶチューナ回路１１の自動選局動作を停止させる構成としたため、同期信号および音声信号の有無に基づいて有局を判定する構成に比べて有局判定精度を高めることができる。
【００２１】
また、強力隣接チャンネルに隣接する弱小チャンネルをＴＶチューナ回路１１が選局したときに、強力隣接チャンネルの信号の一部がＴＶチューナ回路１１に取り込まれてしまい、同期信号および音声キャリア信号が検出された場合であっても、有局判定回路１７が有局であると誤判定することが無い。したがって、本実施の形態によれば、妨害や強力隣接チャンネルの影響による自動選局動作の誤停止を防止することができる。
【００２２】
なお、上述した実施の形態は、あくまでも本発明の一態様を示すものであり、任意に変形および応用が可能である。
【００２３】
上述した実施の形態では、ように論理演算回路たる第１および第２ゲート回路１５、１６を用いて、音声キャリア信号が検出されていると共に、同期信号検出回路１３にて同期信号が検出されており、なおかつ、音声信号Ｓ２からノイズが検出されていない場合にのみ、同期検出信号Ｓ５を有局判定回路１７に出力し、当該有局判定回路１７が有局を判定する構成としたがこれに限らない。すなわち、図２に示すように、第１および第２ゲート回路１５、１６と、有局判定回路１７とに代えて、マイクロコンピュータ（以下、単に「マイコン」と言う）３０を設け、このマイコン３０がＳＤ信号３、ノイズ検出信号Ｓ４、および、同期検出信号Ｓ５のそれぞれの有無に基づいて有局判定を行う構成としても良い。この構成における有局判定時の動作の一例を図３に示す。
【００２４】
すなわち、自動選局動作が開始された場合、マイコン３０は、図３に示すように、先ずＳＤ信号Ｓ３の入力の有無に基づいて音声キャリア信号が検出されたか否かを判断し（ステップＳ１）、音声キャリア信号が検出されていない場合には（ステップＡ１：ＮＯ）、自動選局動作を継続させるべく、処理手順をステップＡ１に戻す。一方、音声キャリア信号が検出されている場合には（ステップＡ１、ＹＥＳ）、マイコン３０は、ノイズ検出信号Ｓ４の入力の有無に基づいて、音声信号Ｓ２からノイズが検出されたかを判断し（ステップＡ２）、次いで、同期検出信号Ｓ５の入力の有無に基づいて同期信号が検出されたか否かを判断する（ステップＡ３）。そして、音声信号Ｓ２からノイズが検出された場合（ステップＡ２：ＹＥＳ）、或いは、同期信号が検出されなかった場合（ステップＡ３：ＮＯ）、マイコン３０は、自動選局動作を継続させるべく、処理手順をステップＡ１に戻す。
一方、音声キャリア信号が検出されている場合であって、音声信号Ｓ２からノイズが検出されておらず（ステップＡ２：ＮＯ）、なおかつ、同期信号が検出されている場合（ステップＡ３：ＹＥＳ）には、マイコン３０は、有局であると判断し、自動選局動作停止信号Ｓ６をＴＶチューナ回路１１に出力し、自動選局動作を停止させることになる（ステップＡ４）。
【００２５】
また、本発明に係るテレビジョン信号受信装置１は、固定配置されるテレビジョン装置に適用可能であることは勿論のこと、車載器や携帯電話機などの移動機器に組み込まれたテレビジョン装置に適用することも可能である。特に、本発明のテレビジョン信号受信装置１を移動機器に適用することで、移動機器が移動した際にテレビジョン電波の受信強度が変動するような状況下であっても、適切に自動選局動作を行うことができる。
【図面の簡単な説明】
【００２６】
【図１】本発明の実施の形態に係るテレビジョン信号受信装置の機能的構成を示すブロック図である。
【図２】本発明の変形例に係るテレビジョン信号受信装置の機能的構成を示すブロック図である。
【図３】変形例に係るテレビジョン信号受信装置の動作を示すフローチャートである。
【符号の説明】
【００２７】
１  テレビジョン信号受信装置
１１  ＴＶチューナ回路
１２  中間周波数復調回路
１２Ｂ  音声キャリア信号検出回路
１３  同期信号検出回路
１４  音声ノイズ検出回路
１７  有局判定回路
Ｓ２  音声信号
Ｓ３  ＳＤ信号
Ｓ４  ノイズ検出信号
Ｓ５  同期検出信号
【図１】
2006340264.tif 000003
【図２】
2006340264.tif 000004
【図３】
2006340264.tif 000005